(57)【要約】【課題】印刷後に後処理を施した用紙が製本装置を通して搬送できない場合でも、印刷後に後処理を施す用紙を含む印刷物の印刷から製本までを一連の処理として実行する。【解決手段】プリンタ２０は、印刷処理後であって製本処理前に後処理を不要とする後処理不要ページと、後処理を必要とする後処理必要ページと、を含む印刷データを取得し印刷する。製本装置３０は、印刷データに基づいて後処理不要ページを印刷した用紙を集積トレイ３１０に集積する。後処理装置４０は、印刷データに基づいて後処理必要ページを印刷した用紙に後処理を施し、後処理を施した用紙を後処理出力トレイ４１０に集積する。製本装置３０は、集積トレイ３１０に集積された用紙と、後処理出力トレイ４１０に集積された用紙とが予め定められた順序で集積トレイ３１０に集積された後に、製本処理を実行する。【選択図】図１
2013184441.tif 000002
【特許請求の範囲】
【請求項１】
印刷処理後であって製本処理前に後処理を不要とする後処理不要ページと、後処理を必要とする後処理必要ページと、を含む印刷データを取得する取得手段と、
前記印刷データに基づいて前記後処理不要ページを印刷した用紙を第１の集積部に集積するように制御する第１集積制御手段と、
前記印刷データに基づいて前記後処理必要ページを印刷した用紙に後処理を施した後に前記第１の集積部とは異なる第２の集積部に集積するように制御する第２集積制御手段と、
前記第１の集積部に集積された前記後処理不要ページを印刷した用紙と、前記第２の集積部に集積された前記後処理必要ページを印刷した用紙とが予め定められた順序で製本装置の集積部に集積された後に、製本処理を実行するように制御する製本制御手段と、を含む
ことを特徴とする製本制御装置。
【請求項２】
前記第１の集積部に集積される、前記印刷データに基づいて前記後処理不要ページを印刷した用紙に対して、前記印刷データに基づいて前記後処理必要ページが配置されるべき用紙の位置を示す代替用紙を挿入する挿入手段をさらに含む
ことを特徴とする請求項１に記載の製本制御装置。
【請求項３】
前記印刷データに基づいて前記後処理必要ページが印刷された場合に、印刷を一時停止し、当該後処理必要ページを印刷した用紙が前記第１の集積部に集積された後に、印刷を再開するように制御する印刷制御手段をさらに含む
ことを特徴とする請求項１に記載の製本制御装置。
【請求項４】
前記第１の集積部は、前記製本装置の集積部である
ことを特徴とする請求項１乃至３のいずれかに記載の製本制御装置。
【請求項５】
印刷処理後であって製本処理前に後処理を不要とする後処理不要ページと、後処理を必要とする後処理必要ページと、を含む印刷データを取得する取得手段と、
前記印刷データに基づいて前記後処理不要ページを印刷した用紙を第１の集積部に集積するように制御する第１集積制御手段と、
前記印刷データに基づいて前記後処理必要ページを印刷した用紙に後処理を施した後に前記第１の集積部とは異なる第２の集積部に集積するように制御する第２集積制御手段と、
前記第１の集積部に集積された前記後処理不要ページを印刷した用紙と、前記第２の集積部に集積された前記後処理必要ページを印刷した用紙とが予め定められた順序で製本装置の集積部に集積された後に、製本処理を実行するように制御する製本制御手段
としてコンピュータを機能させるためのプログラム。
【請求項６】
印刷装置と、製本装置と、後処理装置とを含み、
前記印刷装置は、
印刷処理後であって製本処理前に後処理を不要とする後処理不要ページと、後処理を必要とする後処理必要ページと、を含む印刷データを取得し印刷する印刷手段を含み、
前記製本装置は、
前記印刷データに基づいて前記後処理不要ページを印刷した用紙を集積する第１の集積部を含み、
前記後処理装置は、
前記印刷データに基づいて前記後処理必要ページを印刷した用紙に後処理を施す後処理手段と、
前記後処理手段により後処理を施した前記後処理必要ページを印刷した用紙を集積する第２の集積部と、を含み、
前記製本装置は、
前記第１の集積部に集積された前記後処理不要ページを印刷した用紙と、前記第２の集積部に集積された前記後処理必要ページを印刷した用紙とが予め定められた順序で前記第１の集積部に集積された後に、製本処理を実行する製本手段と、をさらに含む
ことを特徴とする製本システム。
【発明の詳細な説明】
【技術分野】
【０００１】
本発明は、製本制御装置、プログラム及び製本システムに関する。
【背景技術】
【０００２】
印刷装置により印刷された印刷物に製本処理を施すことがある。印刷物を製本する場合に、印刷物の中に異なるサイズの用紙が含まれるときには、大きいサイズの用紙を小さいサイズの用紙のサイズに収まるように折る処理（例えばＺ折り処理）を施した後に製本することがある。
【０００３】
ここで、例えば、製本を行う製本装置の後段に、折り処理を行う後処理装置が接続される場合には、折り処理を施した後の用紙を、製本装置に搬送させることができない。そうした場合には、下記の特許文献１に記載されているように、印刷処理（及び後処理）と、製本処理とを別のジョブとして分離して、印刷処理（及び後処理）を実行した後に、製本処理を実行することがあった。この場合には、各ジョブについて処理内容を指定する必要があり、印刷から製本までを一連のジョブとして扱えなかった。
【先行技術文献】
【特許文献】
【０００４】
【特許文献１】特開２００９−９１１３１号公報
【発明の概要】
【発明が解決しようとする課題】
【０００５】
本発明の目的は、印刷後に後処理を施した用紙が製本装置を通して搬送できない場合でも、印刷後に後処理を施す用紙を含む印刷物の印刷から製本までを一連の処理として実行できる製本制御装置、プログラム及び製本システムを提供することにある。
【課題を解決するための手段】
【０００６】
上記目的を達成するために、請求項１に記載の発明は、印刷処理後であって製本処理前に後処理を不要とする後処理不要ページと、後処理を必要とする後処理必要ページと、を含む印刷データを取得する取得手段と、前記印刷データに基づいて前記後処理不要ページを印刷した用紙を第１の集積部に集積するように制御する第１集積制御手段と、前記印刷データに基づいて前記後処理必要ページを印刷した用紙に後処理を施した後に前記第１の集積部とは異なる第２の集積部に集積するように制御する第２集積制御手段と、前記第１の集積部に集積された前記後処理不要ページを印刷した用紙と、前記第２の集積部に集積された前記後処理必要ページを印刷した用紙とが予め定められた順序で製本装置の集積部に集積された後に、製本処理を実行するように制御する製本制御手段と、を含むことを特徴とする製本制御装置である。
【０００７】
また、請求項２に記載の発明は、前記第１の集積部に集積される、前記印刷データに基づいて前記後処理不要ページを印刷した用紙に対して、前記印刷データに基づいて前記後処理必要ページが配置されるべき用紙の位置を示す代替用紙を挿入する挿入手段をさらに含むことを特徴とする請求項１に記載の製本制御装置である。
【０００８】
また、請求項３に記載の発明は、前記印刷データに基づいて前記後処理必要ページが印刷された場合に、印刷を一時停止し、当該後処理必要ページを印刷した用紙が前記第１の集積部に集積された後に、印刷を再開するように制御する印刷制御手段をさらに含むことを特徴とする請求項１に記載の製本制御装置である。
【０００９】
また、請求項４に記載の発明は、前記第１の集積部は、前記製本装置の集積部であることを特徴とする請求項１乃至３のいずれかに記載の製本制御装置である。
【００１０】
また、請求項５に記載の発明は、印刷処理後であって製本処理前に後処理を不要とする後処理不要ページと、後処理を必要とする後処理必要ページと、を含む印刷データを取得する取得手段と、前記印刷データに基づいて前記後処理不要ページを印刷した用紙を第１の集積部に集積するように制御する第１集積制御手段と、前記印刷データに基づいて前記後処理必要ページを印刷した用紙に後処理を施した後に前記第１の集積部とは異なる第２の集積部に集積するように制御する第２集積制御手段と、前記第１の集積部に集積された前記後処理不要ページを印刷した用紙と、前記第２の集積部に集積された前記後処理必要ページを印刷した用紙とが予め定められた順序で製本装置の集積部に集積された後に、製本処理を実行するように制御する製本制御手段としてコンピュータを機能させるためのプログラムである。
【００１１】
また、請求項６に記載の発明は、印刷装置と、製本装置と、後処理装置とを含み、前記印刷装置は、印刷処理後であって製本処理前に後処理を不要とする後処理不要ページと、後処理を必要とする後処理必要ページと、を含む印刷データを取得し印刷する印刷手段を含み、前記製本装置は、前記印刷データに基づいて前記後処理不要ページを印刷した用紙を集積する第１の集積部を含み、前記後処理装置は、前記印刷データに基づいて前記後処理必要ページを印刷した用紙に後処理を施す後処理手段と、前記後処理手段により後処理を施した前記後処理必要ページを印刷した用紙を集積する第２の集積部と、を含み、前記製本装置は、前記第１の集積部に集積された前記後処理不要ページを印刷した用紙と、前記第２の集積部に集積された前記後処理必要ページを印刷した用紙とが予め定められた順序で前記第１の集積部に集積された後に、製本処理を実行する製本手段と、をさらに含むことを特徴とする製本システムである。
【発明の効果】
【００１２】
請求項１、５及び６に記載の発明によれば、印刷後に後処理を施した用紙が製本装置を通して搬送できない場合でも、印刷後に後処理を施す用紙を含む印刷物の印刷から製本までを一連の処理として実行できる。
【００１３】
請求項２に記載の発明によれば、本構成を有しない場合と比較して、後処理不要ページを印刷した用紙と、後処理必要ページを印刷した用紙とを予め定められた順序で並べるのが容易となる。
【００１４】
請求項３に記載の発明によれば、後処理必要ページを印刷した用紙の代替用紙を用いない場合であっても、本構成を有しない場合と比較して、後処理不要ページを印刷した用紙と、後処理必要ページを印刷した用紙とを予め定められた順序で並べるのが容易となる。
【００１５】
請求項４に記載の発明によれば、本構成を有しない場合と比較して、後処理必要ページを印刷した用紙を製本装置に移動させる労力を低減させることができる。
【図面の簡単な説明】
【００１６】
【図１】本実施形態に係る製本システムの全体構成図である。
【図２】Ｚ折りを説明する図である。
【図３】くるみ製本を説明する図である。
【図４】製本装置の概要構成図である。
【図５】クライアント装置のハードウェア構成の一例を示す図である。
【図６】プリンタのハードウェア構成の一例を示す図である。
【図７】製本装置のハードウェア構成の一例を示す図である。
【図８】後処理装置のハードウェア構成の一例を示す図である。
【図９】第１の実施例に係る製本処理の流れを説明するフローチャートである。
【図１０】第１及び第２の実施例に共通する製本処理の流れを説明するフローチャートである。
【図１１】代替用紙の差し替え処理を説明する図である。
【図１２】第２の実施例に係る製本処理の流れを説明するフローチャートである。
【図１３】第３の実施例に係る製本処理の流れを説明するフローチャートである。
【図１４】代替用紙の例を説明する図である。
【発明を実施するための形態】
【００１７】
以下、本発明を実施するための実施の形態（以下、実施形態という）を、図面に従って説明する。
【００１８】
図１には、本実施形態に係る製本システム１の全体構成図を示した。図１に示されるように、製本システム１は、クライアント装置１０、プリンタ２０、製本装置３０、後処理装置４０を含む。本実施形態では、プリンタ２０、製本装置３０、後処理装置４０のそれぞれの用紙搬送路がこの順序で連結されており、プリンタ２０で画像形成（印刷）が行われた用紙は製本装置３０、又は製本装置３０内部の搬送路を通って後処理装置４０に搬送される。
【００１９】
クライアント装置１０は、プリンタ２０に印刷処理を要求するコンピュータである。本実施形態では、クライアント装置１０からは、製本が指定された印刷データがプリンタ２０に向けて送信されることとするが、印刷データには製本の指定がされているものとされていないものとが混在していてもよい。
【００２０】
プリンタ２０は、クライアント装置１０から受信した印刷データに基づいて印刷処理及び製本処理を制御する。印刷処理及び製本処理の詳細については後述する。
【００２１】
後処理装置４０は、プリンタ２０により印刷された用紙を、製本装置３０内部の搬送路を介して取得し、取得した用紙について指定された後処理を実行する。
【００２２】
本実施形態では、後処理装置４０で行われる処理は、図２に示される、所謂Ｚ折りと呼ばれる折り処理である。Ｚ折りとは、用紙の長辺に対して谷折り（又は山折り）した後に、谷折り（又は山折り）した部分に対して山折り（又は谷折り）を施す折り方である。例えば、Ａ３の用紙の長辺がＡ４の用紙の短辺の長さ以下となるようにＺ折りした場合には、Ｚ折りした後のＡ３の用紙はＡ４の用紙と重ねた場合に、はみ出さないようになる。
【００２３】
製本装置３０は、プリンタ２０により印刷された用紙、及び後処理装置４０により後処理が行われた用紙を含む本文用紙束に対して製本処理を実行する。以下、本実施形態における製本処理の具体例について説明する。
【００２４】
本実施形態では、製本装置３０は、図３に示される、所謂くるみ製本と呼ばれる製本処理を実行する。くるみ製本とは、所謂くるみ表紙と呼ばれる、中央に糊付け部分が設けられた表紙ページに、Ｚ折りページと、Ｚ折りをしていない通常ページとを予め定められた順序で並べた本文用紙束を接着させる製本方式である。表紙ページと本文用紙束との接着には、のり等の接着剤を用いることとしてよい。
【００２５】
ここで、製本装置３０による製本処理の流れを、図４に示した製本装置３０の概要構成図を参照しながら説明する。
【００２６】
図４に示されるように、プリンタ２０で印刷された用紙は搬送路３５０Ａにより製本装置３０に向けて搬送される。ここで用紙のうち表紙ページに関しては、最終ページとして印刷され、糊付け部３６２に搬送される。また、印刷された用紙のうち後処理装置４０による後処理が必要なページ（後処理必要ページ）については、搬送路３５０Ａ、搬送路３５０Ｂ、搬送路３５０Ｄを介して後処理装置４０に出力される。そして、印刷された用紙のうち後処理が不要なページ（後処理必要ページ）については、搬送路３５０Ａ、搬送路３５０Ｅを介して集積トレイ３１０に出力される。
【００２７】
次に、製本装置３０の集積トレイ３１０に、後処理必要ページと後処理不要ページとを予め定められた順番で並べた本文用紙束を配置する。そして、製本装置３０は、集積トレイ３１０から本文用紙束を糊付け部３６２に搬送するとともに、表紙を印刷する場合には糊付け部３６２に搬送済み用紙を用い、表紙を印刷しない場合には表紙用トレイ３０８もしくは給紙トレイから表紙ページを糊付け部３６２に搬送して、本文用紙束と表紙ページとを糊付け部３６２において接着後、断裁部３６４で断裁処理を施して、製本出力トレイ３１４に出力する。
【００２８】
次に、クライアント装置１０、プリンタ２０、製本装置３０、後処理装置４０のそれぞれのハードウェアの構成例について順に説明する。
【００２９】
図５には、クライアント装置１０のハードウェア構成の一例を示した。図５に示されるように、クライアント装置１０は、制御部１００、記憶部１０２、通信部１０４、入力制御部１０６、表示制御部１０８を備える。
【００３０】
制御部１００は、ＣＰＵ（Central Processing Unit）を含み、記憶部１０２に記憶されたプログラムに基づいて、各種の演算処理を実行するとともにクライアント装置１０の各部を制御する。
【００３１】
記憶部１０２は、クライアント装置１０のオペレーティングシステム等の制御プログラムやデータを記憶するほか、制御部１００のワークメモリとしても用いられる。プログラムは、光ディスク、磁気ディスク、磁気テープ、光磁気ディスク、フラッシュメモリ等の情報記憶媒体に格納された状態でクライアント装置１０に供給されてもよいし、インターネット等のデータ通信手段を介してクライアント装置１０に供給されてもよい。
【００３２】
通信部１０４は、ネットワークカードやシリアル通信カード等の通信インターフェースにより他の装置（例えばプリンタ２０等）とデータ通信する。本実施形態では、クライアント装置１０の通信部１０４が、プリンタ２０の通信部２０４とデータ通信する。
【００３３】
入力制御部１０６は、マウスやキーボード等の入力装置と接続し、ユーザからの操作入力を受け付ける。
【００３４】
表示制御部１０８は、クライアント装置１０に内蔵、又は外部接続された液晶ディスプレイ等の表示装置と接続し、表示装置にクライアント装置１０における情報処理の結果（画面）を表示させる。
【００３５】
次に、プリンタ２０の構成について説明する。図６には、プリンタ２０のハードウェア構成の一例を示した。図６に示されるように、プリンタ２０は、制御部２００、記憶部２０２、通信部２０４、画像形成部２０８、給紙部２１０、搬送部２１２、操作パネル部２１４を備える。
【００３６】
制御部２００は、ＣＰＵ（Central Processing Unit）を含み、記憶部２０２に記憶されたプログラムに基づいて、各種の演算処理を実行するとともにプリンタ２０の各部を制御する。
【００３７】
記憶部２０２は、プリンタ２０の制御プログラムやデータを記憶するほか、制御部２００のワークメモリとしても用いられる。プログラムは、光ディスク、磁気ディスク、磁気テープ、光磁気ディスク、フラッシュメモリ等の情報記憶媒体に格納された状態でプリンタ２０に供給されてもよいし、インターネット等のデータ通信手段を介してプリンタ２０に供給されてもよい。
【００３８】
通信部２０４は、ネットワークカードやシリアル通信カード等の通信インターフェースにより他の装置（例えばクライアント装置１０、製本装置３０、後処理装置４０等）とデータ通信する。本実施形態では、プリンタ２０の通信部２０４が、クライアント装置１０の通信部１０４、製本装置３０の通信部３０４、後処理装置４０の通信部４０４とそれぞれデータ通信する。
【００３９】
画像形成部２０８は、制御部２００から入力される画像形成命令（印刷ジョブ）に従って、給紙部２１０から供給された印刷媒体（印刷用紙）上に画像を形成するものである。例えば、画像形成部２０８は、レーザプリンタ方式により画像を形成してもよいし、インクジェットプリンタ方式により画像を形成することとしてもよい。
【００４０】
給紙部２１０は、１又は複数のトレイＴ１〜Ｔｎ（ｎは自然数）を含み、指定された印刷媒体（印刷用紙）を格納したトレイから印刷媒体を取り出して、画像形成部２０８や搬送部に供給する。例えば、トレイＴ１〜Ｔｎには、用紙サイズ（例えばＡ３，Ａ４等）ごとのトレイ、色付き用紙のトレイ等が含まれることとしてよい。なお、給紙部２１０はプリンタ２０に内蔵されていてもよいし、プリンタ２０の外部に設けられていてもよい。
【００４１】
搬送部２１２は、画像形成部２０８で画像が形成された印刷用紙を搬送する。例えば、搬送部２１２は、画像形成部２０８により画像形成が行われた印刷媒体を搬送したり、給紙部２１０から供給された印刷媒体を搬送したりする。本実施形態では、プリンタ２０の搬送部２１２は、製本装置３０の搬送部３０６と接続されており、搬送部３０６に印刷媒体を送り出す。
【００４２】
操作パネル部２１４は、液晶ディスプレイ等の表示装置と、ボタン式やタッチパネル式等の入力装置とを備えた表示機能付き入力装置である。操作パネル部２１４は、プリンタ２０を操作するユーザとの対話型インターフェースとして機能する。
【００４３】
次に、製本装置３０の構成について説明する。図７には、製本装置３０のハードウェア構成の一例を示した。図７に示されるように、製本装置３０は、制御部３００、記憶部３０２、通信部３０４、搬送部３０６、表紙用トレイ３０８、集積トレイ３１０、製本部３１２、製本出力トレイ３１４を備える。
【００４４】
制御部３００は、ＣＰＵ（Central Processing Unit）を含み、記憶部３０２に記憶されたプログラムに基づいて、各種の演算処理を実行するとともに製本装置３０の各部を制御する。
【００４５】
記憶部３０２は、製本装置３０の制御プログラムやデータを記憶するほか、制御部３００のワークメモリとしても用いられる。プログラムは、光ディスク、磁気ディスク、磁気テープ、光磁気ディスク、フラッシュメモリ等の情報記憶媒体に格納された状態で製本装置３０に供給されてもよいし、インターネット等のデータ通信手段を介して製本装置３０に供給されてもよい。
【００４６】
通信部３０４は、ネットワークカードやシリアル通信カード等の通信インターフェースにより他の装置（例えばプリンタ２０、後処理装置４０等）とデータ通信する。本実施形態では、製本装置３０の通信部３０４が、プリンタ２０の通信部２０４や、後処理装置４０の通信部４０４とデータ通信する。
【００４７】
搬送部３０６は、プリンタ２０から搬送された印刷用紙を、製本装置３０の集積トレイ３１０に搬送したり、後処理装置４０に搬送したりする。例えば、搬送部３０６は、プリンタ２０から搬送された印刷用紙が後処理不要ページである場合には集積トレイ３１０に搬送する。一方で、搬送部３０６は、プリンタ２０から搬送された印刷用紙が後処理必要ページである場合には、印刷用紙を後処理装置４０に送り出す。
【００４８】
表紙用トレイ３０８は、製本の表紙とする媒体（紙）を給紙するトレイである。
【００４９】
集積トレイ３１０は、製本の本文とする媒体（紙）を集積するトレイである。
【００５０】
製本部３１２は、表紙用トレイ３０８に給紙された媒体を表紙、集積トレイ３１０に集積された媒体を本文（本文用紙束）とした製本処理を実行する。製本処理の具体的な流れは上述した通りであるため、ここでは省略する。
【００５１】
製本出力トレイ３１４は、製本部３１２による成果物（本）を積載するトレイである。
【００５２】
次に、後処理装置４０の構成について説明する。図８には、後処理装置４０のハードウェア構成の一例を示した。図８に示されるように、後処理装置４０は、制御部４００、記憶部４０２、通信部４０４、搬送部４０６、後処理部４０８、後処理出力トレイ４１０を備える。
【００５３】
制御部４００は、ＣＰＵ（Central Processing Unit）を含み、記憶部４０２に記憶されたプログラムに基づいて、各種の演算処理を実行するとともに後処理装置４０の各部を制御する。
【００５４】
記憶部４０２は、後処理装置４０の制御プログラムやデータを記憶するほか、制御部４００のワークメモリとしても用いられる。プログラムは、光ディスク、磁気ディスク、磁気テープ、光磁気ディスク、フラッシュメモリ等の情報記憶媒体に格納された状態で後処理装置４０に供給されてもよいし、インターネット等のデータ通信手段を介して後処理装置４０に供給されてもよい。
【００５５】
通信部４０４は、ネットワークカードやシリアル通信カード等の通信インターフェースにより他の装置（例えばプリンタ２０、製本装置３０等）とデータ通信する。本実施形態では、後処理装置４０の通信部４０４が、プリンタ２０の通信部２０４や、製本装置３０の通信部３０４とそれぞれデータ通信する。
【００５６】
搬送部４０６は、製本装置３０の搬送部３０６と接続されており、製本装置３０の搬送部３０６から搬送された印刷用紙を後処理部４０８に搬送する。
【００５７】
後処理部４０８は、搬送部４０６から搬送された印刷媒体に対して、指定された後処理を施す。本実施形態では、後処理部４０８は、搬送された印刷媒体にＺ折りを施した後に、Ｚ折り後の印刷媒体を後処理出力トレイ４１０に排紙する。
【００５８】
後処理出力トレイ４１０は、後処理部４０８により後処理が施された印刷媒体（すなわちＺ折りが行われた用紙）を集積するトレイである。
【００５９】
次に、製本システム１において行われる第１の実施例に係る製本処理の流れを、図９及び図１０に示したフローチャートを参照しながら説明する。
【００６０】
図９に示されるように、プリンタ２０は、クライアント装置１０から印刷ジョブを取得し（Ｓ１００１）、取得した印刷ジョブを解析する（Ｓ１００２）。プリンタ２０は、例えば、印刷ジョブの製本指定の有無や、印刷ジョブで印刷される各ページの属性（表紙、Ｚ折り指定の有無、印刷サイズ等）、各ページのリップデータ等の情報を取得することとしてよい。
【００６１】
プリンタ２０は、印刷ジョブに製本指定が無い場合には（Ｓ１００３：Ｎ）、通常印刷を実行し（Ｓ１００４）、処理を終了する。一方で、プリンタ２０は、印刷ジョブに製本指定が有る場合には（Ｓ１００３：Ｙ）、以下の処理を実行する。
【００６２】
プリンタ２０は、印刷ジョブに基づき印刷されるページＰｉ（ｉ＝１〜Ｋの整数でｉの初期値＝１）を選択し（Ｓ１００５）、Ｐｉが表紙である場合には（Ｓ１００６：Ｙ）、この表紙ページであるＰｉを保存する（Ｓ１００７）。
【００６３】
プリンタ２０は、Ｓ１００６において、Ｐｉが表紙でない場合であって（Ｓ１００６：Ｎ）、Ｐｉが折り処理対象であるときには（Ｓ１００９：Ｙ）、Ｐｉを印刷するとともに（Ｓ１０１０）、印刷したＰｉを後処理装置４０に搬送する。後処理装置４０は、搬送されたＰｉに折り処理を施した後に（Ｓ１０１１）、折り処理をしたＰｉを後処理出力トレイ４１０に排紙する（Ｓ１０１２）。プリンタ２０は、Ｐｉの代替用紙を選択し（Ｓ１０１３）、選択した代替用紙を製本装置３０の集積トレイ３１０に排紙する（Ｓ１０１４）。
【００６４】
プリンタ２０は、Ｓ１００９において、Ｐｉが折り処理対象でないときには（Ｓ１００９：Ｎ）、Ｐｉを印刷するとともに（Ｓ１０１５）、印刷したＰｉを製本装置３０の集積トレイ３１０に排紙する（Ｓ１０１６）。
【００６５】
プリンタ２０は、Ｓ１００８、Ｓ１０１４、Ｓ１０１６の後に、Ｐｉの次のページがあるか否か（すなわちｉ＝Ｋであるか否か）を判定し（Ｓ１０１７）、次のページがある場合には（Ｓ１０１７：Ｙ）、ｉをインクリメントして（Ｓ１０１８）、Ｓ１００６に戻りそれ以降の処理を繰り返す。一方で、Ｓ１０１７において、次のページがない場合には（Ｓ１０１７：Ｎ）、Ｓ１００７で保存した表紙ページの印刷を実行し、糊付け部３６２に搬送した後に（Ｓ１０１９）、図１０のフローに進む。
【００６６】
図１０に示されるように、後処理装置４０の後処理出力トレイ４１０に排紙された用紙（折り済み紙）がある場合には（Ｓ２００１：Ｙ）、ユーザは後処理出力トレイ４１０に排紙された用紙と、製本装置３０の集積トレイ３１０に排紙された代替用紙とを差し替える（Ｓ２００２）。なお、後処理出力トレイ４１０に排紙された用紙と、製本装置３０の集積トレイ３１０に排紙された代替用紙との差し替えは、例えば、図１１に示されるように、後処理出力トレイ４１０に排紙された順序と、製本装置３０の集積トレイ３１０に排紙された順序とが一致する組み合わせで差し替えることとしてよい。
【００６７】
ここで、後処理装置４０の後処理出力トレイ４１０に排紙された用紙の全てが、製本装置３０の集積トレイ３１０に排紙された代替用紙と差し替えられていない場合には（Ｓ２００３：Ｎ）、全てが差し替えられるまでユーザがＳ２００２の処理を実行し、全てが差し替えられた場合には（Ｓ２００３：Ｙ）、製本処理を実行するか否かをユーザに問い合わせる（Ｓ２００４）。ユーザへの問い合わせは、例えばプリンタ２０の操作パネル部２１４に製本処理を実行するか否かを問い合わせる画面を表示させることで行うこととしてよい。
【００６８】
ここで、製本処理を実行する旨の入力がない場合には（Ｓ２００４：Ｎ）、待機し、製本処理を実行する旨の入力があった場合には（Ｓ２００４：Ｙ）、製本処理を実行して（Ｓ２００５）、処理を終了する。
【００６９】
なお、上記の処理は製本を１部出力する場合の処理を説明したものであるが、製本を複数出力する場合には、Ｓ１００５以降の処理を１部ずつ繰り返し実行すればよい。
【００７０】
次に、製本システム１において行われる第２の実施例に係る製本処理の流れを、図１２に示したフローチャートを参照しながら説明する。
【００７１】
図１２に示されるように、プリンタ２０は、クライアント装置１０から印刷ジョブを取得し（Ｓ３００１）、取得した印刷ジョブを解析する（Ｓ３００２）。プリンタ２０は、例えば、印刷ジョブの製本指定の有無や、印刷ジョブで印刷される各ページの属性（表紙、Ｚ折り指定の有無、印刷サイズ等）、各ページのリップデータ等の情報を取得することとしてよい。
【００７２】
プリンタ２０は、印刷ジョブに製本指定が無い場合には（Ｓ３００３：Ｎ）、通常印刷を実行し（Ｓ３００４）、処理を終了する。一方で、プリンタ２０は、印刷ジョブに製本指定が有る場合には（Ｓ３００３：Ｙ）、以下の処理を実行する。
【００７３】
プリンタ２０は、印刷ジョブに基づき印刷される全ページの中から表紙ページＰｆを選択し（Ｓ３００５）、表紙ページＰｆを保存する（Ｓ３００６）。
【００７４】
次に、プリンタ２０は、印刷ジョブに基づき印刷される全ページの中から折り処理の対象でない折り処理不要ページＰＡ１〜ＰＡＭを選択し（Ｓ３００８）、折り処理不要ページＰＡｉ（ｉ＝１〜Ｍの整数で、ｉの初期値＝１）を印刷する（Ｓ３００９）。そして、プリンタ２０は、ＰＡｉの前に代替用紙を入れる場合には（Ｓ３０１０：Ｙ）、代替用紙を選択し（Ｓ３０１１）、選択した代替用紙を製本装置３０の集積トレイ３１０に排紙した後に（Ｓ３０１２）、印刷したＰＡｉを集積トレイ３１０に排紙する（Ｓ３０１３）。
【００７５】
プリンタ２０は、ｉがＭに達していない場合（すなわち、折り処理不要ページが残っている場合）には（Ｓ３０１４：Ｎ）、ｉをインクリメントして（Ｓ３０１５）、Ｓ３００９に戻りそれ以降の処理を繰り返す。
【００７６】
一方で、プリンタ２０は、ｉがＭに達した場合（すなわち、折り処理不要ページが残っていない場合）には（Ｓ３０１４：Ｙ）、印刷ジョブに基づき印刷される全ページの中から折り処理の対象である折り処理必要ページＰＢ１〜ＰＢＮを選択する（Ｓ３０１６）。そして、プリンタ２０は、折り処理必要ページＰＢ１〜ＰＢＮの中から選択した折り処理必要ページＰＢｊ（ｊ＝１〜Ｎの整数で、ｊの初期値＝１）を印刷した後に（Ｓ３０１７）、印刷したＰＢｊを後処理装置４０に搬送する。後処理装置４０は、搬送されたＰＢｊに折り処理を施した後に（Ｓ３０１８）、折り処理をしたＰＢｊを後処理出力トレイ４１０に排紙する（Ｓ３０１９）。
【００７７】
プリンタ２０は、ｊがＮに達していない場合（すなわち、折り処理必要ページが残っている場合）には（Ｓ３０２０：Ｎ）、ｊをインクリメントして（Ｓ３０２１）、Ｓ３０１７に戻りそれ以降の処理を繰り返す。プリンタ２０は、Ｓ３０２０において、ｊがＮに達した場合（すなわち、折り処理必要ページが残っていない場合）には（Ｓ３０２０：Ｙ）、Ｓ３００６で保存した表紙ページの印刷を実行し、糊付け部３６２に搬送した後に（Ｓ３２２）、図１０に示されたフローに進む。図１０に示されたフローは第１の実施例と同様のため説明を省略する。
【００７８】
なお、上記の処理は第１の実施例と同様に、製本を１部出力する場合の処理を説明したものであるが、製本を複数出力する場合には、Ｓ３００５以降の処理を１部ずつ繰り返し実行すればよい。
【００７９】
次に、製本システム１において行われる第３の実施例に係る製本処理の流れを、図１３に示したフローチャートを参照しながら説明する。
【００８０】
図１３に示されるように、プリンタ２０は、クライアント装置１０から印刷ジョブを取得し（Ｓ４００１）、取得した印刷ジョブを解析する（Ｓ４００２）。プリンタ２０は、例えば、印刷ジョブの製本指定の有無や、印刷ジョブで印刷される各ページの属性（表紙、Ｚ折り指定の有無、印刷サイズ等）、各ページのリップデータ等の情報を取得することとしてよい。
【００８１】
プリンタ２０は、印刷ジョブに製本指定が無い場合には（Ｓ４００３：Ｎ）、通常印刷を実行し（Ｓ４００４）、処理を終了する。一方で、プリンタ２０は、印刷ジョブに製本指定が有る場合には（Ｓ４００３：Ｙ）、以下の処理を実行する。
【００８２】
プリンタ２０は、印刷ジョブに基づき印刷されるページＰｉ（ｉ＝１〜Ｋの整数でｉの初期値＝１）を選択し（Ｓ４００５）、Ｐｉが表紙である場合には（Ｓ４００６：Ｙ）、この表紙ページであるＰｉを保存する（Ｓ４００７）。
【００８３】
プリンタ２０は、Ｓ４００６において、Ｐｉが表紙でない場合であって（Ｓ４００６：Ｎ）、Ｐｉが折り処理対象であるときには（Ｓ４００９：Ｙ）、Ｐｉを印刷するとともに（Ｓ４０１０）、印刷したＰｉを後処理装置４０に搬送する。後処理装置４０は、搬送されたＰｉに折り処理を施した後に（Ｓ４０１１）、折り処理をしたＰｉを後処理出力トレイ４１０に排紙する（Ｓ４０１２）。プリンタ２０は、後処理出力トレイ４１０に排紙されたＰｉを製本装置３０の集積トレイ３１０に移動させる旨をユーザに指示し（Ｓ４０１３）、ユーザに印刷処理を再開するか否かを問い合わせる（Ｓ４０１４）。例えば、プリンタ２０は、操作パネル部２１４に「後処理出力トレイ４１０に排紙された用紙を集積トレイ３１０に移動させた後、印刷再開ボタンを押してください」旨のメッセージを表示し、印刷再開ボタンが押されていない間は（Ｓ４０１４：Ｎ）、待機し、印刷再開ボタンが押された場合に（Ｓ４０１４：Ｙ）、Ｓ４０１７に進む。
【００８４】
また、プリンタ２０は、Ｓ４００９において、Ｐｉが折り処理対象でないときには（Ｓ４００９：Ｎ）、Ｐｉを印刷するとともに（Ｓ４０１５）、印刷したＰｉを製本装置３０の集積トレイ３１０に排紙する（Ｓ４０１６）。
【００８５】
プリンタ２０は、Ｓ４００８、Ｓ４０１４でＹの場合、Ｓ４０１６の後に、Ｐｉの次のページがあるか否か（すなわちｉ＝Ｋであるか否か）を判定し（Ｓ４０１７）、次のページがある場合には（Ｓ４０１７：Ｙ）、ｉをインクリメントして（Ｓ４０１８）、Ｓ４００６に戻りそれ以降の処理を繰り返す。
【００８６】
一方で、プリンタ２０は、Ｓ４０１７において、次のページがない場合には（Ｓ４０１７：Ｎ）、Ｓ４００７で保存した表紙ページの印刷を実行し、糊付け部３６２に搬送する（Ｓ４０１９）。そして、プリンタ２０は、製本処理を実行するか否かをユーザに問い合わせる（Ｓ４０２０）。ユーザへの問い合わせは、例えばプリンタ２０の操作パネル部２１４に製本処理を実行するか否かを問い合わせる画面を表示させることで行うこととしてよい。
【００８７】
ここで、製本処理を実行する旨の入力がない場合には（Ｓ４０２０：Ｎ）、待機し、製本処理を実行する旨の入力があった場合には（Ｓ４０２０：Ｙ）、製本処理を実行して（Ｓ４０２１）、処理を終了する。
【００８８】
なお、上記の処理は製本を１部出力する場合の処理を説明したものであるが、製本を複数出力する場合には、Ｓ４００５以降の処理を１部ずつ繰り返し実行すればよい。
【００８９】
次に、プリンタ２０により印刷が行われた後に、集積トレイ３１０に排紙される折り処理不要ページの間又は前後に差し込まれる代替用紙の例について、図１４を参照しながら説明する。
【００９０】
図１４（Ａ）には、代替用紙を折り処理不要ページとは異なる色の用紙とした例を示している。代替用紙は、同じ色の紙であってもよいし、異なる色の紙であってもよい。
【００９１】
図１４（Ｂ）には、代替用紙を折り処理不要ページとは異なる向きで排紙した用紙とした例を示している。図１４（Ｂ）で示した例では、代替用紙を折り処理不要ページの用紙に対して９０度回転させて排紙するようにしている。
【００９２】
図１４（Ｃ）には、代替用紙を、差し替え対象の折り処理必要ページを特定する特定情報を形成した用紙とした例を示している。例えば、代替用紙に形成される特定情報は、差し替え対象の折り処理必要ページに形成される画像の少なくとも一部、又は折り処理必要ページのページ番号等の情報としてよい。なお、この場合には、プリンタ２０は、代替用紙を選択後に、代替用紙と差し替え対象の折り処理必要ページの特定情報を印刷した後に、集積トレイ３１０に排紙することとしてよい。
【００９３】
図１４（Ｄ）には、代替用紙を、端に粘着部（シール部）が剥離紙で覆われているラベル紙とした例を示している。この場合には、代替用紙の剥離紙を剥がして、粘着部に、対応する折り処理必要ページを貼り付けることとしてよい。なお、ラベル紙には左端に剥離紙が設けられている種類（ラベル紙タイプＡ）と、右端に剥離紙が設けられている種類（ラベル紙タイプＢ）とを用意し、Ｚ折りの向き（右開きか、左開きか）に応じてラベル紙タイプＡ又はＢを選択するようにしてもよい。
【００９４】
本発明は上記の実施形態に限定されるものではない。例えば、上記の実施形態では、プリンタ２０、製本装置３０、後処理装置４０の順に搬送経路を接続した例を説明したが、プリンタ２０、後処理装置４０、製本装置３０の順に搬送経路を接続しても構わないし、プリンタ２０、製本装置３０、後処理装置４０の間又はこれらの前後に他の装置（給紙装置、穴空け装置、ステープル装置、トリミング装置等）が接続されていても構わない。
【００９５】
また、本実施形態では、後処理がＺ折り処理である場合に本発明を適用した例について説明したが、本発明は後処理後の用紙を直接に製本装置３０に搬送ができない種類の他の処理にも同様に適用可能である。
【符号の説明】
【００９６】
１  製本システム、１０  クライアント装置、２０  プリンタ、３０  製本装置、４０  後処理装置、１００  制御部、１０２  記憶部、１０４  通信部、１０６  入力制御部、１０８  表示制御部、２００  制御部、２０２  記憶部、２０４  通信部、２０８  画像形成部、２１０  給紙部、２１２  搬送部、２１４  操作パネル部、３００  制御部、３０２  記憶部、３０４  通信部、３０６  搬送部、３０８  表紙用トレイ、３１０  集積トレイ、３１２  製本部、３１４  製本出力トレイ、３５０Ａ〜Ｅ  搬送路、３６２  糊付け部、３６４断裁部、４００  制御部、４０２  記憶部、４０４  通信部、４０６  搬送部、４０８  後処理部、４１０  後処理出力トレイ、Ｔ１〜Ｔｎ  トレイ。
【図１】
2013184441.tif 000003
【図２】
2013184441.tif 000004
【図３】
2013184441.tif 000005
【図４】
2013184441.tif 000006
【図５】
2013184441.tif 000007
【図６】
2013184441.tif 000008
【図７】
2013184441.tif 000009
【図８】
2013184441.tif 000010
【図９】
2013184441.tif 000011
【図１０】
2013184441.tif 000012
【図１１】
2013184441.tif 000013
【図１２】
2013184441.tif 000014
【図１３】
2013184441.tif 000015
【図１４】
2013184441.tif 000016